(57)【要約】【課題】濃度ムラ補正を行なった場合でも安定化制御処理による色合いの変化を低減すること。【解決手段】主走査方向の濃度ムラ補正処理を実行する濃度ムラ補正部１４１と、安定化制御処理を実行し、濃度ムラ補正部による濃度ムラ補正処理を実行させる制御部１１０を備え、制御部１１０は、定期的に前記安定化制御処理を実行する場合、濃度ムラ補正部１４１の補正機能を無効に設定する画像形成装置１。【選択図】図１
2009290420.tif 000002
【特許請求の範囲】
【請求項１】
主走査方向の濃度ムラ補正処理を実行する濃度ムラ補正部と、
安定化制御処理を実行し、前記濃度ムラ補正部による濃度ムラ補正処理を実行させる制御部を備え、
前記制御部は、
定期的に前記安定化制御処理を実行する場合、前記濃度ムラ補正部の補正機能を無効に設定する、
画像形成装置。
【請求項２】
前記濃度ムラ補正部の実行有効又は実行無効を切り替える切替部を備え、
前記制御部は、
前記濃度ムラ補正処理の補正機能を無効に設定する場合、
前記切替部を実行無効に切り替えて前記安定化制御処理を実行する、
請求項１に記載の画像形成装置。
【請求項３】
前記濃度ムラ補正処理において使用する補正値が格納されたレジスタを備えており、
前記制御部は、
前記濃度ムラ補正処理の補正機能を無効に設定する場合、
前記レジスタの補正値を濃度ムラ補正処理の補正機能が無効である場合と同様の結果が得られる無効補正値に変更して前記安定化制御処理を実行する、
請求項１に記載の画像形成装置。
【請求項４】
前記安定化制御処理に使用するセンサを備えており、
前記制御部は、
前記濃度ムラ補正処理の補正機能を無効に設定する場合、
前記センサの位置と対応する位置の画素の補正値を濃度ムラ補正処理の補正機能が無効である場合と同様の結果が得られる無効補正値に変更して前記安定化制御処理を実行する、
請求項１に記載の画像形成装置。
【請求項５】
前記安定化制御の実行指示をする第１入力部と、
前記濃度ムラ補正部の実行有効又は実行無効の指示をする第２入力部と、
を備え、
前記制御部は、
前記第１入力部による前記安定化制御の実行指示に基づいて安定化制御処理を実行する際、前記第２入力部による指示に応じて前記濃度ムラ補正部を実行させる、
請求項１に記載の画像形成装置。
【請求項６】
予め設定された第１補正値及び当該第１補正値とは異なる第２補正値を記憶する記憶部と、
前記第２補正値を設定する設定部と、
を備え、
前記制御部は、
前記安定化制御処理を実行する際、
前記濃度ムラ補正処理の補正機能を無効に設定する場合には前記第１補正値を用いて前記安定化制御処理を実行し、
前記濃度ムラ補正処理の補正機能を有効に設定する場合には前記第１補正値及び前記第２補正値を用いて前記安定化制御処理を実行する、
請求項１から５のいずれか一項に記載の画像形成装置。
【請求項７】
定期的に安定化制御処理を実行する場合、主走査方向の濃度ムラ補正処理を実行する濃度ムラ補正部の補正機能を無効に設定する工程を含む、
画像形成装置における安定化制御方法。
【請求項８】
前記濃度ムラ補正処理の補正機能を無効に設定する場合、
前記濃度ムラ補正部の実行有効又は実行無効を切り替える切替部を実行無効に切り替えて前記安定化制御処理を実行する工程を含む、
請求項７に記載の安定化制御方法。
【請求項９】
前記濃度ムラ補正処理の補正機能を無効に設定する場合、
レジスタに格納された濃度ムラ補正処理において使用する補正値を濃度ムラ補正処理の補正機能が無効である場合と同様の結果が得られる無効補正値に変更する工程を含む、
請求項７に記載の安定化制御方法。
【請求項１０】
前記濃度ムラ補正処理の補正機能を無効に設定する場合、
前記安定化制御処理に使用するセンサの位置と対応する位置の画素の補正値を濃度ムラ補正処理の補正機能が無効である場合と同様の結果が得られる無効補正値に変更する工程を含む、
請求項７に記載の安定化制御方法。
【請求項１１】
前記安定化制御の実行指示をする第１入力工程と、
前記濃度ムラ補正部の実行有効又は実行無効の指示をする第２入力工程と、
前記第１入力工程による前記安定化制御の実行指示に基づいて安定化制御処理を実行する際、前記第２入力工程による指示に応じて前記濃度ムラ補正部を実行する工程と、
を含む、
請求項７に記載の安定化制御方法。
【請求項１２】
記憶部に予め設定された第１補正値とは異なる第２補正値を設定して前記記憶部に記憶する設定工程と、
前記安定化制御処理を実行する際、
前記濃度ムラ補正処理の補正機能を無効に設定する場合には前記第１補正値を用いて前記安定化制御処理を実行する工程と、
前記濃度ムラ補正処理の補正機能を有効に設定する場合には前記第１補正値及び前記第２補正値を用いて前記安定化制御処理を実行する工程と、
を含む、
請求項７から１１のいずれか一項に記載の安定化制御方法。
【発明の詳細な説明】
【技術分野】
【０００１】
本発明は、画像形成装置及び安定化制御方法に関する。
【背景技術】
【０００２】
一般に、複写機やプリンタ等の画像形成装置は、装置内の各部の調整を行う安定化制御処理機能を有している。画像形成装置では、機械的要因或いは周辺環境の変化に起因する各部の出力値が変化するからである。
【０００３】
上記安定化制御処理の例としては、ガンマセンサを用いたりキャリブレーションにより階調補正処理を行う濃度調整処理がある。例えば、形成される画像の濃度を指示する出力指示値と、形成される画像の形成濃度値との対応関係に基づいて、所定の標準濃度値と出力指示値との対応関係を示す階調補正曲線を生成し、当該階調補正曲線において、標準濃度値の最大値に対応する出力指示値が出力指示値の最大値未満の場合、標準濃度値の最大値に対応する出力指示値が出力指示値の最大値に一致するように階調補正曲線を補正し、当該補正した階調補正曲線に基づいてキャリブレーションデータを生成する画像形成制御装置が開示されている（特許文献１参照）。
【特許文献１】特開２００７−１８９６５５号公報
【発明の開示】
【発明が解決しようとする課題】
【０００４】
また、安定化制御処理の他に、主走査方向の濃度を一様にする濃度ムラ補正処理機能を備えた画像形成装置がある。
この画像形成装置の場合には、濃度ムラ補正処理が実行されてガンマセンサに関する補正値の変更があった場合に、上述したような安定化処理が行われると、安定化制御処理の前後で画像の色合いが異なってしまうという問題が生じる。
【０００５】
本発明の課題は、濃度ムラ補正を行なった場合でも安定化制御処理による色合いの変化を低減することである。
【課題を解決するための手段】
【０００６】
請求項１に記載の発明は、主走査方向の濃度ムラ補正処理を実行する濃度ムラ補正部と、安定化制御処理を実行し、前記濃度ムラ補正部による濃度ムラ補正処理を実行させる制御部を備え、前記制御部は、定期的に前記安定化制御処理を実行する場合、前記濃度ムラ補正部の補正機能を無効に設定する、画像形成装置である。
【０００７】
請求項２に記載の発明は、請求項１に記載の画像形成装置において、前記濃度ムラ補正部の実行有効又は実行無効を切り替える切替部を備え、前記制御部は、前記濃度ムラ補正処理の補正機能を無効に設定する場合、前記切替部を実行無効に切り替えて前記安定化制御処理を実行する。
【０００８】
請求項３に記載の発明は、請求項１に記載の画像形成装置において、前記濃度ムラ補正処理において使用する補正値が格納されたレジスタを備えており、前記制御部は、前記濃度ムラ補正処理の補正機能を無効に設定する場合、前記レジスタの補正値を濃度ムラ補正処理の補正機能が無効である場合と同様の結果が得られる無効補正値に変更して前記安定化制御処理を実行する。
【０００９】
請求項４に記載の発明は、請求項１に記載の画像形成装置において、前記安定化制御処理に使用するセンサを備えており、前記制御部は、前記濃度ムラ補正処理の補正機能を無効に設定する場合、前記センサの位置と対応する位置の画素の補正値を濃度ムラ補正処理の補正機能が無効である場合と同様の結果が得られる無効補正値に変更して前記安定化制御処理を実行する。
【００１０】
請求項５に記載の発明は、請求項１に記載の画像形成装置において、前記安定化制御の実行指示をする第１入力部と、前記濃度ムラ補正部の実行有効又は実行無効の指示をする第２入力部と、を備え、前記制御部は、前記第１入力部による前記安定化制御の実行指示に基づいて安定化制御処理を実行する際、前記第２入力部による指示に応じて前記濃度ムラ補正部を実行させる。
【００１１】
請求項６に記載の発明は、請求項１から５のいずれか一項に記載の画像形成装置において、予め設定された第１補正値及び当該第１補正値とは異なる第２補正値を記憶する記憶部と、前記第２補正値を設定する設定部と、を備え、前記制御部は、前記安定化制御処理を実行する際、前記濃度ムラ補正処理の補正機能を無効に設定する場合には前記第１補正値を用いて前記安定化制御処理を実行し、前記濃度ムラ補正処理の補正機能を有効に設定する場合には前記第１補正値及び前記第２補正値を用いて前記安定化制御処理を実行する。
【００１２】
請求項７に記載の発明は、定期的に安定化制御処理を実行する場合、主走査方向の濃度ムラ補正処理を実行する濃度ムラ補正部の補正機能を無効に設定する工程を含む、画像形成装置における安定化制御方法である。
【００１３】
請求項８に記載の発明は、請求項７に記載の安定化制御方法において、前記濃度ムラ補正処理の補正機能を無効に設定する場合、前記濃度ムラ補正部の実行有効又は実行無効を切り替える切替部を実行無効に切り替えて前記安定化制御処理を実行する工程を含む。
【００１４】
請求項９に記載の発明は、請求項７に記載の安定化制御方法において、前記濃度ムラ補正処理の補正機能を無効に設定する場合、レジスタに格納された濃度ムラ補正処理において使用する補正値を濃度ムラ補正処理の補正機能が無効である場合と同様の結果が得られる無効補正値に変更する工程を含む。
【００１５】
請求項１０に記載の発明は、請求項７に記載の安定化制御方法において、前記濃度ムラ補正処理の補正機能を無効に設定する場合、前記安定化制御処理に使用するセンサの位置と対応する位置の画素の補正値を濃度ムラ補正処理の補正機能が無効である場合と同様の結果が得られる無効補正値に変更する工程を含む。
【００１６】
請求項１１に記載の発明は、請求項７に記載の安定化制御方法において、前記安定化制御の実行指示をする第１入力工程と、前記濃度ムラ補正部の実行有効又は実行無効の指示をする第２入力工程と、前記第１入力工程による前記安定化制御の実行指示に基づいて安定化制御処理を実行する際、前記第２入力工程による指示に応じて前記濃度ムラ補正部を実行する工程と、を含む。
【００１７】
請求項１２に記載の発明は、請求項７から１１のいずれか一項に記載の安定化制御方法において、記憶部に予め設定された第１補正値とは異なる第２補正値を設定して前記記憶部に記憶する設定工程と、前記安定化制御処理を実行する際、前記濃度ムラ補正処理の補正機能を無効に設定する場合には前記第１補正値を用いて前記安定化制御処理を実行する工程と、前記濃度ムラ補正処理の補正機能を有効に設定する場合には前記第１補正値及び前記第２補正値を用いて前記安定化制御処理を実行する工程と、を含む。
【発明の効果】
【００１８】
請求項１、７に記載の発明によれば、定期的な安定化制御処理を実行する場合には濃度ムラ補正処理の補正機能を排除して無効化することができるため、当該安定化制御を行なう前に濃度ムラ補正を行なった場合でも安定化制御前後の画像の色合いの変化を低減することができる。
【００１９】
請求項２、８に記載の発明によれば、請求項１、７と同様の効果を得られるのは勿論のこと、切替部を実行無効に切り替えて、濃度ムラ補正部を実行有効又は実行無効に設定することにより、安定化制御処理時における濃度ムラ補正処理の補正機能を無効化することができる。
【００２０】
請求項３、９に記載の発明によれば、請求項１、７と同様の効果を得られるのは勿論のこと、レジスタ内の補正値を無効補正値に変更することにより、安定化制御処理時における濃度ムラ補正処理の補正機能を無効化することができる。
【００２１】
請求項４、１０に記載の発明によれば、請求項１、７と同様の効果を得られるのは勿論のこと、濃度ムラ補正処理の補正機能の影響を受けるセンサに対応する位置の画素の補正値を無効補正値に変更することにより、安定化制御処理時における濃度ムラ補正処理の補正機能を無効化することができる。
【００２２】
請求項５、１１に記載の発明によれば、請求項１、７と同様の効果を得られるのは勿論のこと、定期的な安定化制御処理の実行時に加え、ユーザが安定化制御の実行指示を行う場合には、ユーザの意図に応じて濃度ムラ補正部を実行有効又は実行無効として安定化制御処理を実行することができるため、ユーザに対して利便性を向上できる。
【００２３】
請求項６、１２に記載の発明によれば、請求項１から５、７から１１のいずれか一項と同様の効果を得られるのは勿論のこと、変更されない第１補正値と変更可能な第２補正値との２種類の補正値を記憶し、濃度ムラ補正処理の補正機能を無効する場合と有効にする場合とで、異なる結果を得ることができる安定化制御処理を実行することができる。
【発明を実施するための最良の形態】
【００２４】
[第１の実施形態]
以下、図を参照して本発明の第１の実施形態を詳細に説明する。
まず、構成を説明する。
図１に、第１の実施形態における画像形成装置１の機能的構成図を示す。
【００２５】
本第１の実施形態における画像形成装置１は、原稿から画像を読み取り、読み取った画像を用紙に画像形成したり、外部装置等から画像データを含むページデータや各画像データの画像形成条件等の設定情報を含むジョブ情報を受信し、受信したジョブ情報に基づいて画像を用紙上に画像形成したりする装置である。なお、画像形成された用紙に後処理を施す後処理部等を備えたデジタル複合機であってもよい。
【００２６】
図１に示すように、画像形成装置１は、本体制御部１０と、画像読取部２０と、操作表示部３０と、プリント部４０と、プリンタコントローラ５０等を備えて構成される。
【００２７】
本体制御部１０は、制御部１１０、不揮発メモリ１２０、画像メモリ１３０、画像処理部１４０等を備え、各部は制御部１１０によって制御されている。
【００２８】
制御部１１０は、ＣＰＵ（Central Processing Unit）、ＲＯＭ（Read Only Memory）、ＲＡＭ（Random Access Memory）等から構成され、ＲＯＭ又は不揮発メモリ１２０に格納されているシステムプログラム及び各種アプリケーションプログラム、各種データの中から指定されたプログラムやデータを読み出してＲＡＭに展開し、ＲＡＭに展開されたプログラムとの協働で、各種処理を実行し、画像形成装置１の各部を集中制御する。
例えば、操作表示部３０やプリンタコントローラ５０を介して外部装置から入力される指示信号に従って、コピーモード、プリンタモード、スキャナモードを切り替え、複写、プリント、画像データの読取等の制御を行う。
【００２９】
制御部１１０は、ＲＯＭ又は不揮発メモリ１２０から第１の実施形態に係る濃度ムラ補正処理プログラムや安定化制御処理プログラムに必要な各種データを読み出し、当該プログラム及び各種データとの協働により、濃度ムラ補正処理や安定化制御処理を制御する。
【００３０】
濃度ムラ補正処理は、次の通りである。即ち、主走査方向に延在し所定濃度を有する帯状画像と、当該帯状画像上において主走査方向の所定の画素数単位で設定された補正基準位置に配置され副走査方向に延在する補助線と、を有する補正用画像を生成する処理を行う。次に、画像形成部４１に当該生成した補正用画像を用紙上に形成して補正チャートを出力させる。この出力された補正チャートに基づいて補正基準位置の画素の濃度の補正値の入力を操作表示部３０により受け付ける。受け付けた補正値に基づいて、濃度ムラ補正部１４１により補正基準位置間（補正ブロック）毎に画素濃度の線形補間処理を行わせる。そして、当該補正ブロック毎の線形補間処理の結果に基づいて形成すべき画像の各画素濃度の補正を行なわせる処理である。
【００３１】
図２に、用紙上に補正用画像が形成された補正チャートの例を示す。
図２に示すように、補正用画像Ｐは、予め設定された濃度で主走査方向Ｘに延在する複数の帯状画像Ｐ１〜Ｐ１０と、当該帯状画像Ｐ１〜Ｐ１０上に形成された複数の補助線ｌａ〜ｌｄとを有している。
【００３２】
帯状画像Ｐ１〜Ｐ１０は、副走査方向Ｙにおいて隣接する帯状画像とは濃度が異なる画像であり、用紙搬送方向（副走査方向Ｙ）の先端から終端の方向に向かって、各帯状画像の濃度が順次濃く又は薄くなるように配列されている。
【００３３】
図３に、補助線と補正基準位置との関係図を示す。
主走査書込基準信号（ＩＮＤＥＸ信号）は、露光装置のレーザが主走査方向を走査する際に主走査方向の走査開始位置近傍に設けられたセンサを通過した際に発生するタイミング信号である。
主走査有効書込信号（ＨＶ信号；Horizontal Valid信号）は、用紙のサイズの主走査方向の幅に基づいて生成され、ＨＶ信号が立ち上がった（High）とき（ＨＳ）からＨＶ信号が立ち下がった（Low）とき（ＨＥ）までが主走査方向の１ライン分の有効領域を示す信号である。
副走査有効書込信号（ＶＶ信号；Vertical Valid信号）は、画像データの画像領域全体の有効領域信号を示す信号である。
【００３４】
補正基準位置とは、ＨＶ信号がＨＳからＨＥまでの期間に対応する長さを予め設定された画素数（例えば、１０２４画素）単位で区切った位置である。そのため、いずれかの補正基準位置が用紙中央位置と一致することは稀である。しかしながら、ＩＮＤＥＸ信号の立ち上がりから用紙中央位置の画素信号が出力されるまでの時間は一定であり、また、ＩＮＤＥＸ信号の立ち上がりからＨＶ信号のＨＳまでの時間も一定である。したがって、ＨＶ信号のＨＳから用紙中央位置の画素信号が出力されるまでの時間も一定であるため、用紙上に形成される各補助基準位置に対応する補助線の位置をＨＶ信号に基づいて算出することができる。
【００３５】
例えば、用紙中央位置がＩＮＤＥＸ信号の立ち上がりから４０００クロック、ＨＳが１００クロック、ＨＥが７９００クロックに相当する位置であり、用紙サイズが主走査方向の長さが２１０ｍｍのＡ４サイズである場合、６００ｄｐｉで当該用紙の書込開始位置Ａを算出し、当該書込開始位置Ａに最も近い補助基準位置の位置を算出する場合の例を説明する。
書込開始位置ＡのＩＮＤＥＸ信号の立ち上がりからのクロック数は、下記の式から算出できる。
【００３６】
書込開始位置Ａ＝４０００−（２１０×（６００／２５．４））／２
＝１５２０
【００３７】
書込開始位置Ａは、ＩＮＤＥＸ信号の立ち上がりから１５２０クロック、即ち、ＨＳから１４２０クロックである。補助基準位置がＨＳから１０２４クロック毎に位置するため、ＨＳから１４２０以内の位置の識別番号が０及び１の補助基準位置に対応する補助線は形成されず、ＨＳから１４２０クロックに６０８（＝１０２４×２−１４２０）クロックを加算した位置を識別番号が２の補助基準位置に対応する補助線の位置として算出することができる。このようにして、各補助基準位置に対応する用紙上における補助線の位置を算出することができる。
【００３８】
安定化制御処理は、画像形成装置１内の状態を初期の安定した状態に調整する処理である。例えば、画像形成部４１内の帯電電位、ドラム回転数、ガンマセンサを用いた出力濃度等の調整処理である。この安定化制御処理は、所定時間又は所定枚数の用紙を排出した場合等の予め設定された条件に達した場合に定期的に実行したり、操作表示部３０を介してユーザから指示されたときに実行する処理である。
【００３９】
第１の実施形態の安定化制御処理は、定期的に安定化制御処理を実行する場合には、濃度ムラ補正部１４１の補正機能を無効に設定して実行し、操作表示部３０による安定化制御処理の実行指示に基づいて安定化制御処理を実行する際には、操作表示部３０による記濃度ムラ補正部１４１の実行有効又は実行無効の指示を受け付け、当該指示に応じて濃度ムラ補正部１４１の設定を行い安定化処理を実行する処理である。
【００４０】
不揮発メモリ１２０は、画像形成に係る各種処理プログラム及びデータの他、本実施の形態に係る濃度ムラ補正処理プログラム、安定化制御処理プログラムや必要なデータ、各種プログラムで処理されたデータ等を記憶する。
【００４１】
画像メモリ１３０は、ＨＤＤ（Hard Disk Drive）、ＤＲＡＭ（Dynamic RAM）等により構成され、画像データを読み書き可能に記憶する。画像メモリ１３０は、制御部１１０からの指示により、画像読取部２０又はプリンタコントローラ５０から入力された画像データを記憶して保存したり、画像メモリ１３０に記憶されている画像データを読み出して画像処理部１４０に出力する。
【００４２】
画像処理部１４０は、画像読取部２０、プリンタコントローラ５０又は画像メモリ１３０から入力された画像データに各種画像処理を施して制御部１１０又は画像メモリ１３０に出力する。画像処理部１４０は、例えば、画像読取部２０から入力されたアナログの画像信号をデジタルの画像データに変換したり、デジタルの画像データを圧縮して画像メモリ１３０に出力したり、圧縮画像データを伸長して出力したりする。
【００４３】
また、画像処理部１４０は、ＨＶ信号、ＶＶ信号、クロック信号（ＣＬＫ信号）を生成して制御部１１０に出力する。例えば、ＣＬＫ信号は、画像処理部１４０（を有する基板）に設けられる水晶振動子等により生成する。
【００４４】
更に、画像処理部１４０は、濃度ムラ補正部１４１を有している。
濃度ムラ補正部１４１は、トナー色毎に制御部１１０から設定された補正値を格納する補正レジスタ１４１ａを有している。濃度ムラ補正部１４１は、操作表示部３０により入力され制御部１１０により設定された補正基準位置毎の補正値を補正レジスタ１４１ａに格納し、当該補正レジスタ１４１ａに格納された補正値に基づいて、補正基準位置間毎に線形補間を行い、当該補正基準位置間毎の線形補間の結果に基づいて、各画素の濃度を補正して主走査方向の濃度ムラを補正する補正機能を実現する補正部である。
【００４５】
図４に、補正レジスタ１４１ａのレジスタマップの例を示す。
図４に示すように、レジスタマップＭには、補正レジスタ１４１ａのアドレスと当該アドレスのデータの名称と用途を示している。
【００４６】
アドレス「００ｈ」は、濃度ムラ補正部１４１の実行有効又は実行無効を切り替える切替部として機能し、０の場合には実行無効、１の場合には実行有効に設定する。なお、アドレス「００ｈ」に替えて、濃度ムラ補正部に入力される信号を実行無効の場合には遮断する機械的なスイッチを設けてもよい。
【００４７】
アドレス「０１ｈ」は、濃度ムラ補正部１４１により実行される濃度ムラ処理の初期値が格納されている。
アドレス「０２ｈ」以降は、制御部１１０により設定された各補正基準位置の補正値である。本第１の実施形態において、補正レジスタ１４１ａに格納される補正値としては、直前の補正基準位置に設定された補正値との差分量（補正量差）とする。なお、補助基準位置毎に補正値を設定することとしてもよい。
【００４８】
画像読取部２０は、ＣＣＤ、画像読取制御部、ＡＤＦ（Auto Document Feeder）と称される自動原稿送り部や読取部等から構成される。画像読取制御部は、後述する制御部１１０からの指示に基づいて自動原稿送り部、読取部等を制御して、複数の原稿の画像を読み取る。読み取られたアナログ画像信号は画像処理部１４０に出力される。ここで、画像とは、図形や写真等のイメージデータに限らず、文字や記号等のテキストデータ等も含む意である。
【００４９】
画像読取部２０により読み取られた画像データ（アナログ画像信号）は、画像処理部１４０に出力され、画像処理部１４０においてＡ／Ｄ変換され各種画像処理が施された後、プリント部４０に出力される。
【００５０】
操作表示部３０は、ＬＣＤ（Liquid Crystal Display）、ＬＣＤを覆うように設けられたタッチパネル３１、操作表示制御部、その他図示しない操作キー等から構成される。
操作表示部３０は、操作表示制御部により制御部１１０から入力される表示信号に従って、各種設定条件を入力するための各種設定画面、図６〜図９、図１２〜図１６に示すような各種画面や各種処理結果等をＬＣＤに表示する。また、操作表示部３０は、操作キー群又はタッチパネル３１から入力される操作信号を制御部１１０に出力する。
【００５１】
プリント部４０は、入力されたプリントデータに基づいて、電子写真方式の画像形成処理を行うものであり、給紙部、給紙搬送部、画像形成部４１、搬出部等のプリント出力に係る各部やプリント制御部を備えて構成される。
【００５２】
給紙部は、複数の給紙トレイを備える。各給紙トレイには、用紙の種類毎に予め識別された用紙が収容されており、用紙が最上部から一枚ずつ給紙搬送部に向けて搬送される。
給紙搬送部は、給紙トレイから搬送された用紙を、複数の中間ローラ、レジストローラ等を経て画像形成部４１の転写装置へと搬送する。
【００５３】
画像形成部４１は、感光体ドラム、帯電装置、画像データに基づくレーザ光を出力するレーザ出力部とレーザ光を主走査方向に走査させるポリゴンミラーとを有する露光装置、現像装置、転写装置、クリーニング部、定着装置を備える。画像形成部４１は、プリント制御部により、制御部１１０からの指示に従って画像形成部４１等のプリント部４０の各部の動作を制御し、画像処理部１４０から入力されたデータに基づいて用紙に画像形成を行う。
【００５４】
具体的には、帯電装置により帯電された感光体ドラムに露光装置でレーザ光を照射して静電潜像を形成し、静電潜像が形成された感光体ドラムの表面に帯電したトナーを現像装置により付着させて静電潜像を現像する。そして、感光体ドラム上に形成されたトナー像を転写装置において用紙に転写する。また、用紙にトナー像が転写された後、感光体ドラムの表面の残留トナー等を、クリーニング部により除去する。用紙に転写されたトナー像を定着装置により熱定着し、トナー像が熱定着された用紙を排紙ローラに挟持されて搬出口から排出する。
【００５５】
プリンタコントローラ５０は、画像形成装置１をネットワークプリンタとして使用する場合に、ＬＡＮ（Local Area Network）等に接続されるＰＣ（Personal Computer）等の外部装置から送信されたデータを画像形成装置１に出力する。
【００５６】
次に、第１の実施形態の動作を説明する。
図５に、第１の実施形態における濃度ムラ補正処理のフローチャートを示す。本処理は、制御部１１０と各部とが協働して実行するものである。
【００５７】
まず、制御部１１０は、操作表示部３０からの入力指示に従って、画像形成装置１の機械状態を示す機械状態画面を操作表示部３０に表示させる。
図６に、機械状態画面Ｇ１の例を示す。
図６に示すように、機械状態画面Ｇ１には、トナーの状況や各給紙トレイに格納されている用紙の状態が示されていると共に、画像形成装置１の各部の調整指示を行う調整画面を表示させる調整ボタンＢ１が設けられている。
【００５８】
制御部１１０は、調整ボタンＢ１が押下されると、操作表示部３０に調整画面を表示させる。図７に、調整画面Ｇ２の例を示す。
図７に示すように、調整画面Ｇ２には、濃度ムラ補正設定画面を表示させる濃度ムラ補正設定ボタンＢ２やその他の設定を行う画面を表示するボタンが設けられている。
【００５９】
制御部１１０は、濃度ムラ補正設定ボタンＢ２が押下されると、操作表示部３０に濃度ムラ補正設定画面を表示させ、濃度ムラ補正処理モードを開始する（ステップＳ１）。
【００６０】
図８に、濃度ムラ補正設定画面Ｇ３の例を示す。
図８に示すように、濃度ムラ補正設定画面Ｇ３には、補正基準位置と補正チャートとの位置関係のイメージ図を表示する用紙イメージ領域Ｅ１と、各補正基準位置を選択する補助基準位置ボタンＢｉ０〜Ｂｉ８と、トナー色を選択するトナー色ボタンＢｙ、Ｂｍ、Ｂｃ、Ｂｋと、各トナー色の補正値を初期値に戻すクリアボタンＢｃｙ、Ｂｃｍ、Ｂｃｃ、Ｂｃｋと、各トナー色ボタン及び各補助基準位置ボタンに対応する補正値を表示する補正値表示領域Ｅ２と、各トナー色ボタンに設定された補正値を濃度ムラ補正処理の補正機能が無効である場合と同様の結果が得られる無効補正値に変更する無効化ボタンＢｙ０、Ｂｍ０、Ｂｃ０、Ｂｋ０と、＋及び−を含むテンキーＢ３と、テンキーＢ３により指示された補正値を示す表示領域Ｅ３と、コピー設定画面を表示させるコピーボタンＢ４と、ＯＫボタンＢ５と、キャンセルボタンＢ６とが設けられている。
【００６１】
制御部１１０は、濃度ムラ補正モードを終了するか否かを判別する（ステップＳ２）。ステップＳ２では、濃度ムラ補正モードを終了する場合としては、キャンセルボタンＢ６が押下された場合と、ＯＫボタンＢ５が押下された場合の２通りある。制御部１１０は、キャンセルボタンＢ６が押下された場合（ステップＳ２；キャンセル）、本処理を終了する。制御部１１０は、ＯＫボタンＢ５が押下された場合（ステップＳ２；ＯＫ）、補正値表示領域Ｅ２に表示されている補正値を不揮発メモリ１２０に記憶し（ステップＳ３）本処理を終了する。
【００６２】
制御部１１０は、濃度ムラ補正モードを終了しない場合、例えば、濃度ムラ補正設定画面Ｇ３に設けられたＯＫボタンＢ５及びキャンセルボタンＢ６を除く他のボタンが押下された場合（ステップＳ２；Ｎｏ）、補正値の設定を受け付ける（ステップＳ４）。
【００６３】
ステップＳ４での補正値の設定は、ユーザによりトナー色ボタンＢｙ、Ｂｍ、Ｂｃ、Ｂｋのいずれかと補助基準位置ボタンＢｉ０〜Ｂｉ８のいずれかがそれぞれ押下されることにより選択され、当該選択された２つのボタンに合致するトナー色及び補助基準位置の補正値をテンキーＢ３により押下された値に設定したり、無効化ボタンＢｙ０、Ｂｍ０、Ｂｃ０、Ｂｋ０が押下された場合には、当該押下された無効化ボタンに対応するトナー色の補正値を無効補正値に設定する処理である。
【００６４】
本第１の実施形態における濃度ムラ補正設定画面Ｇ３で設定される各補正値としては、トナー色毎に直前の補正基準位置ボタンに設定された補正値との差分量（補正量差）とする。例えば、トナー色ボタンＢｙと補助基準位置ボタンＢｉ０とに合致する補正値として０が設定されている場合には、トナー色ボタンＢｙと補助基準位置ボタンＢｉ１とに合致する補正値として直前の補正量０との差分量が補正値して設定されるものとする。
なお、補助基準位置毎に補正値を設定することとしてもよい。
【００６５】
ステップＳ４後、制御部１１０は、コピーボタンＢ４が押下されると、コピー設定画面を表示する。図９に、コピー設定画面Ｇ０の例を示す。
図９に示すように、コピー設定画面Ｇ０は、原稿設定領域Ｅ１０、カラー設定領域Ｅ１１、倍率設定領域Ｅ１２、応用設定領域Ｅ１３、画質調整領域Ｅ１４、出力設定領域Ｅ１５、片面／両面設定領域Ｅ１６、用紙設定領域Ｅ１７が設けられており、画像形成される画像の各種出力モードの設定や画像が形成される用紙の各種設定等を行なう画面である。なお、出力モードとは、出力色（ブラック、カラー等）、倍率、片面又は両面等の各出力形態の動作である。また、用紙設定領域Ｅ１７には、給紙する用紙が格納されている給紙トレイの選択指示を受け付ける給紙トレイボタンＢ７ａ〜Ｂ７ｄが設けられている。
【００６６】
制御部１１０は、コピー設定画面Ｇ０において、用紙の設定を受け付ける（ステップＳ５）。ステップ５における用紙の設定は、ユーザにより用紙設定領域Ｅ１７のいずれかの給紙トレイ釦Ｂ７ａ〜Ｂ７ｂが押下されることにより、当該押下された給紙トレイボタンに対応する給紙トレイに格納されている用紙を設定する処理である。
【００６７】
制御部１１０は、補正値の設定及び用紙の設定後、補正用画像作成処理を実行する（ステップＳ６）。ステップＳ６において実行される補正画像作成処理は、設定された用紙のサイズに応じたメモリ領域に当該用紙のサイズに応じた画像形成可能領域に形成される帯状画像データを展開し、用紙のサイズと補助基準位置とに応じて当該用紙上に形成される目印画像の位置を算出し、目印画像の画像データを帯状画像データに重畳して補正用画像データを作成する処理である。
【００６８】
制御部１１０は、ステップＳ６後、濃度ムラ補正部１４１の設定を行なう（ステップＳ７）。
【００６９】
ステップＳ７における濃度ムラ補正部１４１の設定は、制御部１１０がステップＳ４において設定された各補正基準位置の補正値を濃度ムラ補正部１４１内の補正レジスタの対応するアドレスに格納する。例えば、制御部１１０は、あるトナー色に対する無効化ボタンが押下されている場合には、当該トナー色の補正レジスタのアドレス「００ｈ」を０、又は、アドレス「０１ｈ」以降を全て無効補正値としての０に変更する。無効化ボタンが押下されていない場合には、トナー色ボタンと補助基準位置ボタンとにより選択された補助基準位置の補正値を、当該補助基準位置に対応するアドレスに格納する。
そして、濃度ムラ補正部１４１が、補正レジスタに格納された補正値に基づいて、補正基準位置間で線形補間を行い、当該線形補間の結果に応じて各画素の濃度値を算出する処理である。
【００７０】
制御部１１０は、ステップＳ７後、ＨＶ信号、ＶＶ信号の設定を行い（ステップＳ８）、補正用画像データをプリント部４０に出力する（ステップＳ９）。プリント部４０は、制御部１１０により入力された補正用画像に基づいて設定された用紙に当該補正用画像を形成して補正チャートを出力する。制御部１１０は、補正チャートが出力されると、ステップＳ２に戻る。
【００７１】
図１０に、濃度ムラ補正処理が終了した後に画像が形成される際の処理（通常モード）のフローチャートを示す。本処理は、制御部１１０と各部とが協働して実行するものである。
【００７２】
制御部１１０は、コピー設定画面Ｇ０において、画像形成される画像の各種出力モードの設定や画像が形成される用紙の各種設定等を行なう（ステップＳ１１）。
【００７３】
そして制御部１１０は、操作表示部３０のハードキーのコピー開始ボタンが押下されると、不揮発メモリ１２０から補正値を読み出し、当該補正値を濃度ムラ補正部１４１に出力して濃度ムラ補正部１４１の設定を行なう（ステップＳ１２）。
【００７４】
制御部１１０は、ステップＳ１２後、ＨＶ信号、ＶＶ信号の設定を行い（ステップＳ１３）、画像メモリ１３０内の指定した画像データをプリント部４０に出力し（ステップＳ１４）、本処理を終了する。プリント部４０は、制御部１１０により入力された画像データに基づいて設定された用紙に画像を形成する。
【００７５】
図１１に、本第１の実施形態における安定化制御処理のフローチャートを示す。
本処理は、制御部１１０と各部とが協働して実行するものである。
【００７６】
制御部１１０は、自動安定化制御処理のタイミングか否かを判別する（ステップＳ２１）。自動安定化制御処理のタイミングとは、自動安定化制御処理が実行されてから所定時間が経過したタイミングや所定枚数の用紙が排出されたタイミング等の、自動安定化制御処理が実行されてから所定の条件に達したタイミングである。
【００７７】
制御部１１０は、自動安定化制御処理のタイミングである場合（ステップＳ２１；Ｙｅｓ）、後述する濃度ムラ補正処理の実行無効化処理を実行し（ステップＳ２２）、指定された安定化制御処理を実行し（ステップＳ２３）、本処理を終了する。
【００７８】
制御部１１０は、自動安定化制御処理のタイミングでない場合（ステップＳ２１；Ｎｏ）、手動安定化制御処理の実行指示があるか否かを判別する（ステップＳ２４）。
【００７９】
ステップＳ２４における手動安定化制御処理の実行指示の有無の判別は、操作表示部３０を介してユーザから入力される指示に基づく判別である。
例えば、制御部１１０は、操作表示部３０からの入力指示に従って、画像形成装置１の各部の設定調整の指示を受け付けるサービスモード画面を操作表示部３０に表示させる。
図１２に、サービスモード画面Ｇ１０の例を示す。
図１２に示すように、サービスモード画面Ｇ１０には、各部の設定調整の指示を受け付ける画面へ遷移させるボタン、例えば、画像形成部４１のプロセス調整を行うプロセス調整画面を表示させるプロセス調整ボタンＢ１０が設けられている。
【００８０】
図１３に、プロセス調整画面Ｇ１１の例を示す。
図１３に示すように、プロセス調整画面Ｇ１１には、各種プロセス調整項目の設定画面を表示させるボタン、例えば、ドラム特性の調整を行うドラム特性調整画面を表示させるドラム特性調整ボタンＢ１１が設けられている。
【００８１】
図１４に、ドラム特性調整画面Ｇ１２の例を示す。
図１４に示すように、ドラム特性調整画面Ｇ１２には、各種ドラム特性項目の設定画面を表示させるボタン、例えば、ガンマセンサを用いた濃度調整を行うガンマ自動調整画面を表示させるガンマ自動調整ボタンＢ１２が設けられている。
【００８２】
図１５に、ガンマ自動調整画面Ｇ１３の例を示す。
図１５に示すように、ガンマ自動調整画面Ｇ１３には、ガンマセンサを用いた濃度調整を行う際の各種設定ボタンや設定状態を示す領域が設けられていると共に、当該ガンマ自動調整画面Ｇ１３において設定された条件で濃度調整の実行開始を受け付けるスタートボタンＢ１３が設けられている。
【００８３】
制御部１１０は、ガンマ自動調整画面Ｇ１３のスタートボタンＢ１３が押下されない場合（ステップＳ２４；Ｎｏ）、通常モード処理を実行し（ステップＳ２５）、本処理を終了する。
【００８４】
制御部１１０は、ガンマ自動調整画面Ｇ１３のスタートボタンＢ１３が押下された場合（ステップＳ２４；Ｙｅｓ）、濃度ムラ補正処理の設定が有るか否かを判別する（ステップＳ２６）。即ち、図１２〜１５に示した画面が、安定化制御処理の実行指示をする第１入力部として機能することとなる。
【００８５】
ステップＳ２６における濃度ムラ補正処理の設定の有無の判別は、例えば、不揮発メモリ１２０に記憶されている全ての補正値が０の場合、又は、全トナー色の無効化ボタンが押下されている場合には、濃度ムラ補正処理の設定無しと判別する。
【００８６】
制御部１１０は、濃度ムラ補正処理の設定が無い場合（ステップＳ２６；Ｎｏ）、ステップＳ２３に進み、濃度ムラ補正処理の設定が有る場合（ステップＳ２６；Ｙｅｓ）、濃度ムラ補正有効／無効選択画面を操作表示部３０に表示させ、濃度ムラ補正処理が有効に設定されたか否かを判別する（ステップＳ２７）。
【００８７】
図１６に、濃度ムラ補正有効／無効選択画面Ｇ１４の例を示す。
図１６に示すように、濃度ムラ補正有効／無効選択画面Ｇ１４には、メッセージ領域Ｅ１８と、ＹｅｓボタンＢ１４ａと、ＮｏボタンＢ１４ｂとが設けられている。
【００８８】
メッセージ領域Ｅ１８には、例えば、「濃度ムラ補正機能が設定されています。濃度ムラ補正を有効にして安定化制御処理を行ないますか？」等、濃度ムラ補正処理の設定がある旨と、安定化制御処理を実行する際に濃度ムラ補正部の補正機能を有効にするか否かを問うメッセージが表示される。ＹｅｓボタンＢ１４ａは、濃度ムラ補正部の実行有効の指示を受け付けるボタンであり、ＮｏボタンＢ１４ｂは、濃度ムラ補正部の実行無効の指示を受け付けるボタンであり、これらのボタンは第２入力部として機能する。
【００８９】
制御部１１０は、濃度ムラ補正有効／無効選択画面Ｇ１４のＮｏボタンＢ１４ｂが押下された場合、即ち、濃度ムラ補正処理が無効に設定された場合（ステップＳ２７；Ｎｏ）、ステップＳ２２に進む。
【００９０】
制御部１１０は、濃度ムラ補正有効／無効選択画面Ｇ１４のＹｅｓボタンＢ１４ａが押下された場合、即ち、濃度ムラ補正処理が有効に設定された場合（ステップＳ２７；Ｙｅｓ）、不揮発メモリ１２０から補正値を読み出し、当該補正値を濃度ムラ補正部１４１に出力して濃度ムラ補正部１４１の設定を行い（ステップＳ２８）、ステップＳ２３に進む。
【００９１】
図１７、図１８、図１９に、ステップＳ２２において実行する実行無効化処理のフローチャートを示す。なお、ステップＳ２２では、これら処理のいずれかが実行される。
【００９２】
まず、図１７に示す実行無効化処理を説明する。
制御部１１０は、濃度ムラ補正部１４１の補正レジスタ１４１ａのアドレス「００ｈ」の値を０、即ち、実行無効に切り替え（ステップＳ３１）、補正レジスタ１４１ａ内に格納されている全補正値の出力を停止させ（ステップＳ３２）、本処理を終了する。
【００９３】
このように、切替部としての補正レジスタ１４１ａのアドレス「００ｈ」の値を実行無効を示す０に切り替えて、濃度ムラ補正部１４１を実行無効に設定することにより、安定化制御処理時における濃度ムラ補正処理の補正機能を無効化することができる。
【００９４】
図１８に示す無効化処理を説明する。
制御部１１０は、濃度ムラ補正部１４１の補正レジスタ１４１ａのアドレス「０１ｈ」以降のアドレスの値を無効補正値として０に変更し（ステップＳ４１）、変更した補正値を補正レジスタ１４１ａから出力させ（ステップＳ４２）、本処理を終了する。
【００９５】
このように、補正レジスタ１４１ａ内の補正値を無効補正値である０に変更することにより、安定化制御処理時における濃度ムラ補正処理の補正機能を無効化することができる。
【００９６】
図１９に示す無効化処理を説明する。
制御部１１０は、ＩＮＤＥＸ信号の立ち上がりからガンマセンサによる検出信号が得られるタイミングまでの期間に基づいて、主走査方向におけるＩＮＤＥＸ信号の立ち上がりの位置からのガンマセンサの位置を算出する（ステップＳ５１）。
【００９７】
制御部１１０は、算出したガンマセンサの位置を主走査方向における画素座標に換算する（ステップＳ５２）。
【００９８】
制御部１１０は、補正レジスタに格納されている補正値のうち、算出したガンマセンサの位置の画素座標に対応する画素の補正値を、無効補正値として０に変更した後、補正レジスタ１４１ａから補正値を出力させ（ステップＳ５３）、本処理を終了する。
【００９９】
このように、濃度ムラ補正処理の補正機能の影響を受けるセンサ（本第１の実施形態ではガンマセンサ）に対応する位置の画素の補正値を無効補正値である０に変更することにより、安定化制御処理時における濃度ムラ補正処理の補正機能を無効化することができる。
【０１００】
以上のように、第１の実施形態によれば、定期的な安定化制御処理を実行する場合には濃度ムラ補正処理の補正機能を排除して無効化することができるため、当該安定化制御を行なう前に濃度ムラ補正を行なった場合でも安定化制御前後の画像の色合いの変化を低減することができる。
【０１０１】
更に、定期的な安定化制御処理の実行時に加え、ユーザが安定化制御の実行指示を行う場合には、ユーザの意図に応じて濃度ムラ補正部を実行有効又は実行無効として安定化制御処理を実行することができるため、ユーザに対して利便性を向上できる。
【０１０２】
[第２の実施形態]
以下、図を参照して本発明の第２の実施形態を詳細に説明する。
まず、構成を説明する。
第２の実施形態における画像形成装置１の機能的構成図は、第１の実施形態と同様であるため、図示は省略し、異なる部分のみ説明する。
【０１０３】
制御部１１０は、ＲＯＭ又は不揮発メモリ１２０から第２の実施形態に係る濃度ムラ補正処理プログラムや安定化制御処理プログラムに必要な各種データを読み出し、当該プログラム及び各種データとの協働により、濃度ムラ補正処理や安定化制御処理を制御する。
【０１０４】
本第２の実施形態における濃度ムラ補正処理は、第１の実施形態における濃度ムラ補正処理後、初期モードか否かに応じて、濃度ムラ補正処理によって設定された補正値を第１補正値又は第２補正値として不揮発メモリ１２０に記憶する。
【０１０５】
初期モードとは、画像形成装置１が当該画像形成装置１の生産工場内にある状態等のユーザに出荷される前の状態で不揮発メモリ１２０内に補正値が設定されるモードである。
【０１０６】
なお、補正チャートの例、補助線と補正基準位置との関係は、第１の実施形態と同等であるため、図示及び説明は省略する。
【０１０７】
本第２の実施の形態における安定化制御処理は、定期的に安定化制御処理を実行する場合には、濃度ムラ補正処理の補正機能を無効に設定すべく、初期モードに設定された補正値、即ち、第１補正値を補正レジスタに設定して安定化処理を実行する。また、操作表示部３０による安定化制御処理の実行指示に基づいて安定化制御処理を実行する際には、操作表示部３０による記濃度ムラ補正部１４１の実行有効又は実行無効の指示を受け付け、濃度ムラ補正部１４１の実行無効の場合には第１補正値を補正レジスタに設定し、濃度ムラ補正部１４１の実行有効の場合には第１補正値及び第２補正値の加算値を補正レジスタに設定して、安定化処理を実行する。
【０１０８】
不揮発メモリ１２０は、画像形成に係る各種処理プログラム及びデータの他、本実施の形態に係る濃度ムラ補正処理プログラム、安定化制御処理プログラムや必要なデータ、各種プログラムで処理されたデータ等を記憶する。また、不揮発メモリ１２０は、第１補正値及び当該第１補正値とは異なる第２補正値を記憶する記憶部として機能する。
【０１０９】
濃度ムラ補正部１４１、補正レジスタ１４１ａのレジスタマップの例は、第１の実施形態と同様であるため、図示及び説明は省略する。
【０１１０】
次に、第２の実施形態の動作を説明する。
図２０に、第２の実施形態における濃度ムラ補正処理のフローチャートを示す。本処理は、制御部１１０と各部とが協働して実行するものである。
【０１１１】
まず、制御部１１０は、濃度ムラ補正処理を実行する（ステップＳ６１）。
ステップＳ６１における濃度ムラ補正処理は、第１の実施形態において実行される濃度ムラ補正処理と同様であるため、図示及び説明は省略する。
【０１１２】
制御部１１０は、ステップＳ６１後、初期モードか否かを判別する（ステップＳ６２）。制御部１１０は、初期モードである場合（ステップＳ６２；Ｙｅｓ）、ステップＳ６１において設定された補正値を第１補正値として不揮発メモリ１２０に記憶させ（ステップＳ６３）、本処理を終了する。
【０１１３】
制御部１１０は、初期モードでない場合（ステップＳ６２；Ｎｏ）、ステップＳ６１において設定された補正値を第２補正値として不揮発メモリ１２０に記憶させ（ステップＳ６４）、本処理を終了する。
【０１１４】
図２１に、第２の実施形態における濃度ムラ補正処理が終了した後に画像が形成される際の処理（通常モード）のフローチャートを示す。本処理は、制御部１１０と各部とが協働して実行するものである。
【０１１５】
制御部１１０は、コピー設定画面Ｇ０において、画像形成される画像の各種出力モードの設定や画像が形成される用紙の各種設定等を行なう（ステップＳ７１）。
【０１１６】
そして制御部１１０は、操作表示部３０のハードキーのコピー開始ボタンが押下されると、不揮発メモリ１２０から第１補正値を読み出し（ステップＳ７２）、また、第２補正値を読み出す（ステップＳ７３）。
【０１１７】
制御部１１０は、第１補正値及び第２補正値を合算（加算）し、当該合算値を濃度ムラ補正部１４１に出力して濃度ムラ補正部１４１の設定を行なう（ステップＳ７４）。
【０１１８】
ステップＳ７４における濃度ムラ補正部１４１の設定は、制御部１１０が各補正基準位置に対応する合算値を濃度ムラ補正部１４１内の補正レジスタの対応するアドレスに格納する。そして、濃度ムラ補正部１４１が補正レジスタに格納された合算値に基づいて、補正基準位置間で線形補間を行い、当該線形補間の結果に応じて各画素の濃度値を算出する処理である。
【０１１９】
制御部１１０は、ステップＳ７４後、ＨＶ信号、ＶＶ信号の設定を行い（ステップＳ７５）、画像メモリ１３０内の指定した画像データをプリント部４０に出力し（ステップＳ７６）、本処理を終了する。プリント部４０は、制御部１１０により入力された画像データに基づいて設定された用紙に画像を形成する。
【０１２０】
図２２に、本第２の実施形態における安定化制御処理のフローチャートを示す。
本処理は、制御部１１０と各部とが協働して実行するものである。
【０１２１】
制御部１１０は、自動安定化制御処理のタイミングか否かを判別する（ステップＳ８１）。自動安定化制御処理のタイミングは、第１の実施形態と同様であるため、説明は省略する。
【０１２２】
制御部１１０は、自動安定化制御処理のタイミングである場合（ステップＳ８１；Ｙｅｓ）、不揮発メモリ１２０から第１補正値を読み出し（ステップＳ８２）、当該第１補正値を濃度ムラ補正部１４１に出力して濃度ムラ補正部１４１の設定を行なう（ステップＳ８３）。
【０１２３】
ステップＳ８３における濃度ムラ補正部１４１の設定は、制御部１１０が各補正基準位置に対応する第１補正値を濃度ムラ補正部１４１内の補正レジスタの対応するアドレスに格納する。そして、濃度ムラ補正部１４１が補正レジスタに格納された第１補正値に基づいて、補正基準位置間で線形補間を行い、当該線形補間の結果に応じて各画素の濃度値を算出する処理である。
【０１２４】
制御部１１０は、ステップＳ８３後、指定された安定化制御処理を実行し（ステップＳ８４）、本処理を終了する。
【０１２５】
制御部１１０は、自動安定化制御処理のタイミングでない場合（ステップＳ８１；Ｎｏ）、手動安定化制御処理の実行指示があるか否かを判別する（ステップＳ８５）。
【０１２６】
ステップＳ８５における手動安定化制御処理の実行指示の有無の判別は、操作表示部３０を介してユーザから入力される指示に基づく判別であり、第１の実施形態と同様であるため、説明及び当該説明に必要な画面例の図示は省略する。
【０１２７】
制御部１１０は、ガンマ自動調整画面Ｇ１３のスタートボタンＢ１３が押下されない場合（ステップＳ８５；Ｎｏ）、通常モード処理を実行し（ステップＳ８６）、本処理を終了する。
【０１２８】
制御部１１０は、ガンマ自動調整画面Ｇ１３のスタートボタンＢ１３が押下された場合（ステップＳ８５；Ｙｅｓ）、第２補正値での濃度ムラ補正処理の設定が有るか否かを判別する（ステップＳ８７）。
【０１２９】
ステップＳ８７における第２補正値での濃度ムラ補正処理の設定の有無の判別は、例えば、不揮発メモリ１２０に第２補正値が有るか否か、即ち、不揮発メモリ１２０に記憶されている第２補正値が全て０の場合、又は、全トナー色の無効化ボタンが押下されている場合には、第２補正値での濃度ムラ補正処理の設定無しと判別する。
【０１３０】
制御部１１０は、第２補正値での濃度ムラ補正処理の設定が無い場合（ステップＳ８７；Ｎｏ）、ステップＳ８２に進み、第２補正値での濃度ムラ補正処理の設定が有る場合（ステップＳ８７；Ｙｅｓ）、濃度ムラ補正有効／無効選択画面を操作表示部３０に表示させ、第２補正値での濃度ムラ補正処理が有効に設定されたか否かを判別する（ステップＳ８８）。なお、濃度ムラ補正有効／無効選択画面は、第１の実施形態と同様であるため、図示及び説明は省略する。
【０１３１】
制御部１１０は、濃度ムラ補正有効／無効選択画面Ｇ１４のＮｏボタンＢ１４ｂが押下された場合、即ち、第２補正値での濃度ムラ補正処理が無効に設定された場合（ステップＳ８８；Ｎｏ）、ステップＳ８２に進む。
【０１３２】
制御部１１０は、濃度ムラ補正有効／無効選択画面Ｇ１４のＹｅｓボタンＢ１４ａが押下された場合、即ち、第２補正値での濃度ムラ補正処理が有効に設定された場合（ステップＳ８８；Ｙｅｓ）、不揮発メモリ１２０から第１補正値を読み出し（ステップＳ８９）、また、不揮発メモリ１２０から第２補正値を読み出す（ステップＳ９０）。
【０１３３】
制御部１１０は、第１補正値及び第２補正値を合算（加算）し、当該合算値を濃度ムラ補正部１４１に出力して濃度ムラ補正部１４１の設定を行ない（ステップＳ９１）、ステップＳ８４に進む。ステップＳ９１における濃度ムラ補正部１４１の設定は、ステップＳ７４と同様であるため、説明は省略する。
【０１３４】
以上のように、本第２の実施形態によれば、第１の実施形態と同様の効果を得られると共に、変更されない第１補正値と変更可能な第２補正値との２種類の補正値を記憶し、濃度ムラ補正処理の補正機能を無効する場合と有効にする場合とで、異なる結果を得ることができる安定化制御処理を実行することができる。
【０１３５】
以上の説明では、本発明に係るプログラムのコンピュータ読み取り可能な媒体としてＲＯＭ又は不揮発メモリ１２０を使用した例を開示したが、この例に限定されない。
その他のコンピュータ読み取り可能な媒体として、フラッシュメモリ等の不揮発性メモリ、ＣＤ-ＲＯＭ等の可搬型記録媒体を適用することが可能である。
また、本発明に係るプログラムのデータを通信回線を介して提供する媒体として、キャリアウエーブ(搬送波)も本発明に適用される。
【０１３６】
また、本発明は、上記実施の形態の内容に限定されるものではなく、本発明の主旨を逸脱しない範囲で適宜変更可能である。
【図面の簡単な説明】
【０１３７】
【図１】第１の実施形態における画像形成装置の機能的構成図である。
【図２】補正用画像の例を示す図である。
【図３】補助線と補正基準位置との関係図である。
【図４】補正レジスタのレジスタマップの例を示す図である。
【図５】第１の実施形態における濃度ムラ補正処理のフローチャートである。
【図６】機械状態画面の例を示す図である。
【図７】調整画面の例を示す図である。
【図８】濃度ムラ補正設定画面の例を示す図である。
【図９】コピー設定画面の例を示す図である。
【図１０】通常モードのフローチャートである。
【図１１】第１の実施形態における安定化制御処理のフローチャートである。
【図１２】サービスモード画面の例を示す図である。
【図１３】プロセス調整画面の例を示す図である。
【図１４】ドラム特性調整画面の例を示す図である。
【図１５】ガンマ自動調整画面の例を示す図である。
【図１６】濃度ムラ補正有効／無効選択画面の例を示す図である。
【図１７】実行無効化処理のフローチャートである。
【図１８】実行無効化処理のフローチャートである。
【図１９】実行無効化処理のフローチャートである。
【図２０】第２の実施形態における濃度ムラ補正処理のフローチャートである。
【図２１】第２の実施形態における通常モードのフローチャートである。
【図２２】第２の実施形態における安定化制御処理のフローチャートである。
【符号の説明】
【０１３８】
１  画像形成装置
１０  本体制御部
２０  画像読取部
３０  操作表示部
３１  タッチパネル
４０  プリント部
４１  画像形成部
５０  プリンタコントローラ
１１０  制御部
１２０  不揮発メモリ
１３０  画像メモリ
１４０  画像処理部
１４１  濃度ムラ補正部
１４１ａ  補正レジスタ
Ｂ１  調整ボタン
Ｂ２  濃度ムラ補正設定ボタン
Ｂ３  テンキー
Ｂ４  コピーボタン
Ｂ５  ＯＫボタン
Ｂ６  キャンセルボタン
Ｂ７ａ〜Ｂ７ｄ  給紙トレイボタン
Ｂ１０  プロセス調整ボタン
Ｂ１１  ドラム特性調整ボタン
Ｂ１２  ガンマ自動調整ボタン
Ｂ１３  スタートボタン
Ｂ１４ａ  Ｙｅｓボタン
Ｂ１４ｂ  Ｎｏボタン
Ｂｉ０〜Ｂｉ８  補助基準位置ボタン
Ｂｙ、Ｂｍ、Ｂｃ、Ｂｋ  トナー色ボタン
Ｂｙ０、Ｂｍ０、Ｂｋ０、Ｂｋ０  無効化ボタン
Ｂｃｙ、Ｂｃｍ、Ｂｃｃ、Ｂｃｋ  クリアボタン
Ｅ１  用紙イメージ領域
Ｅ２  補正値表示領域
Ｅ３  表示領域
Ｅ１０  原稿設定領域
Ｅ１１  カラー設定領域
Ｅ１２  倍率設定領域
Ｅ１３  応用設定領域
Ｅ１４  画質調整領域
Ｅ１５  出力設定領域
Ｅ１６  片面／両面設定領域
Ｅ１７  用紙設定領域
Ｅ１８  メッセージ領域
Ｇ０  コピー設定画面
Ｇ１  機械状態画面
Ｇ２  調整画面
Ｇ３  濃度ムラ補正設定画面
Ｇ１０  サービスモード画面
Ｇ１１  プロセス調整画面
Ｇ１２  ドラム特性調整画面
Ｇ１３  ガンマ自動調整画面
Ｇ１４  濃度ムラ補正有効／無効選択画面
ｌａ〜ｌｄ  補助線
Ｍ  レジスタマップ
Ｐ  補正用画像
Ｐ１〜Ｐ１０  帯状画像
Ｘ  主走査方向
Ｙ  副走査方向
【図１】
2009290420.tif 000003
【図２】
2009290420.tif 000004
【図３】
2009290420.tif 000005
【図４】
2009290420.tif 000006
【図５】
2009290420.tif 000007
【図６】
2009290420.tif 000008
【図７】
2009290420.tif 000009
【図８】
2009290420.tif 000010
【図９】
2009290420.tif 000011
【図１０】
2009290420.tif 000012
【図１１】
2009290420.tif 000013
【図１２】
2009290420.tif 000014
【図１３】
2009290420.tif 000015
【図１４】
2009290420.tif 000016
【図１５】
2009290420.tif 000017
【図１６】
2009290420.tif 000018
【図１７】
2009290420.tif 000019
【図１８】
2009290420.tif 000020
【図１９】
2009290420.tif 000021
【図２０】
2009290420.tif 000022
【図２１】
2009290420.tif 000023
【図２２】
2009290420.tif 000024